(57)【要約】【課題】  既存の浴槽などをそのまま用いて、水の排水の効率を低下させることなく、髪の毛などの異物を除去しつつ排水を行なうことができ、しかも掃除が不要で取り扱いが容易である排水口用異物除去具を提供する。【解決手段】  槽１の底部に設けられた排水口２を上側から覆うように槽１の底部上に脱着自在に配置される、下面が開口する有底筒状のフィルター保持具３と、フィルター保持具３の外側に被せて脱着自在に装着される、袋状のフィルター４とを備えて形成される。そして、フィルター保持具３は剛性を有する材料で荒い目の孔５が全面に形成されていると共に、フィルター４は弾性を有する柔軟な材料で細かい目の細孔６を全面に有して形成されている。【選択図】  図１
0003112488.tif 000002
【実用新案登録請求の範囲】
【請求項１】
槽の底部に設けられた排水口を上側から覆うように槽の底部上に脱着自在に配置される、下面が開口する有底筒状のフィルター保持具と、フィルター保持具の外側に被せて脱着自在に装着される、袋状のフィルターとを備えて形成され、フィルター保持具は剛性を有する材料で荒い目の孔が全面に形成されていると共に、フィルターは弾性を有する柔軟な材料で細かい目の細孔を全面に有して形成されていることを特徴とする排水口用異物除去具。
【請求項２】
フィルター保持具の下端部には、排水口の内周に差し込んでフィルター保持具を槽の底部に立設した状態に脱着自在に取り付けるための、差込筒部が設けられていることを特徴とする請求項１に記載の排水口用異物除去具。
【考案の詳細な説明】
【技術分野】
【０００１】
本考案は、浴槽など槽の底部に設けられる排水口に取り付けて使用され、排水口から排水される槽内の水から髪の毛等の異物を除去する排水口用異物除去具に関するものである。
【背景技術】
【０００２】
入浴したあと、浴槽の底部の排水口の栓を開いて、浴槽内の水を排水するにあたって、浴槽の水には髪の毛や垢などの異物が含まれている。従って、浴槽内の水を排水すると、水と共に髪の毛や垢などの異物が排水配管に流れ込み、排水配管がこれらの異物で閉塞されることになり、排水配管の頻繁な清掃が必要になるという問題があった。
【０００３】
このため、浴槽の底部の排水口の内周を塞ぐように、網などで形成されるフィルターを取り付けることによって、髪の毛や垢などの異物をフィルターで除去した状態で、浴槽内の水を排水口から排水することが行なわれている。しかし、口径が小さい排水口の内周にフィルターを取り付けると、排水口を通過する水の流量が大きく低下し、浴槽内の水を排水する効率が悪くなって排水に長時間を要することになる。
【０００４】
そこで、例えば図５に示すように、浴槽などの槽１の底部に設けられる排水口２の下側に網状袋体１０を取り付け、排水口２を通して流出する槽１内の水を網状袋体１０に通過させ、髪の毛や垢などの異物を網状袋体１０で除去した後に排出するようにしたものが提案されている。図５において、１１は止水栓、１２は排水管である。そしてこのものでは、排水口２を通して流出する水は広い面積の網状袋体１０を通過して排出されるので、槽１内から排水口２を通して流出する水の流量が低下することはなく、槽１内の水を排水する効率が悪くなるというような問題はなくなるものである（特許文献１参照）。
【特許文献１】特開平１０−１８３７１４号公報
【考案の開示】
【考案が解決しようとする課題】
【０００５】
ここで、網状袋体１０は汚れて目詰まりすると水の通過が悪くなるので、清掃したり新しいものと取り替えたりする必要がある。しかし、図５のものでは、網状袋体１０は排水口２の下側において槽１の下面に取り付けられているので、網状袋体１０を簡単に取り外すことができない。このため、槽１の底部に大きな開口１３を形成し、内周が排水口２として形成されたリング部材１４の下面に網状袋体１０を取り付けるようにしてある。そしてリング部材１４を開口１３に嵌め込むことによって、図５（ａ）のように網状袋体１０を槽１の底部の下面に取り付け、またリング部材１４を開口１３から取り外すことによって、図５（ｂ）のように網状袋体１０をリング部材１４と共に取り外すことができるようにしている。
【０００６】
従って図５のものでは、浴槽などの槽１にリング部材１４を嵌め込む大きな開口１３が形成されていることが必要であり、槽１はこの大きな開口１３を形成した特別製のものであることが前提となる。このため、小さな排水口２を有する既存の浴槽などにそのまま適用することはできないものであって、実用性のうえで問題を有するものであった。
【０００７】
本考案は上記の点に鑑みてなされたものであり、既存の浴槽などをそのまま用いて、槽内の水の排水の効率を低下させることなく、髪の毛などの異物を除去しつつ排水を行なうことができ、しかも掃除が不要で取り扱いが容易である排水口用異物除去具を提供することを目的とするものである。
【課題を解決するための手段】
【０００８】
本考案の請求項１に係る排水口用異物除去具は、槽１の底部に設けられた排水口２を上側から覆うように槽１の底部上に脱着自在に配置される、下面が開口する有底筒状のフィルター保持具３と、フィルター保持具３の外側に被せて脱着自在に装着される、袋状のフィルター４とを備えて形成され、フィルター保持具３は剛性を有する材料で荒い目の孔５が全面に形成されていると共に、フィルター４は弾性を有する柔軟な材料で細かい目の細孔６を全面に有して形成されていることを特徴とするものである。
【０００９】
この考案によれば、細孔６を有するフィルター４をフィルター保持具３に被せた状態で排水口１の上側にセットすることによって、浴槽などの槽１内の水はフィルター４を通過した後に、排水口２から排水されるものであり、フィルター４で髪の毛や垢などの異物を除去した状態で排水することができ、排水配管がこれらの異物で閉塞されることを防いで、排水配管を頻繁に清掃する必要をなくすことができるものである。しかも槽１内の水は広い面積のフィルター４を通過した後に排水口２を通して排出されるものであり、排水口２を通して流出する水の流量が低下することはなく、槽１内の水を排水する効率が悪くなるようなことはないものである。そしてフィルター保持具３を既存の浴槽などの槽１の排水口２を覆うように配置することによって、排水の際に使用することができるものであり、既存の浴槽などをそのまま用いて、髪の毛などの異物を除去しつつ排水を行なうことができるものである。また、フィルター４が汚れて目詰まりすると、フィルター保持具３から取り外して新しいものに取り替えればよく、掃除などを特に行なう必要がなくなって取り扱いが容易になるものである。
【００１０】
また請求項２の考案は、請求項１において、フィルター保持具３の下端部には、排水口２の内周に差し込んでフィルター保持具３を槽１の底部に立設した状態に脱着自在に取り付けるための、差込筒部７が設けられていることを特徴とするものである。
【００１１】
この考案によれば、差込筒部７を排水口２に差し込むことによって、フィルター保持具３を排水口２に強固に固定することができるものであり、排水の際の水流でフィルター保持具３が倒れたりすることがなくなるものである。
【考案の効果】
【００１２】
本考案によれば、既存の浴槽などをそのまま用いて、排水の効率を低下させることなく、髪の毛などの異物を除去しつつ槽１内の水の排水を行なうことができるものであり、しかもフィルター４の掃除が不要になって取り扱いが容易になるものである。
【考案を実施するための最良の形態】
【００１３】
以下、本考案を実施するための最良の形態を説明する。
【００１４】
図１及び図２は本考案の実施の形態の一例を示すものである。フィルター保持具３は下端面が開口すると共に上端面が閉塞された有底円筒状に形成されるものであり、例えば硬質プラスチックなど剛性を有する硬質材料で形成してある。図２のように、フィルター保持具３の下端部には円筒状の差込筒部７が一体に設けてあり、この差込筒部７の外径は浴槽などの槽１の底部に設けられている排水口２の内径とほぼ等しい寸法に形成されるものである。またフィルター保持具３の差込筒部７を除く全面、すなわち側面及び上面は、格子状に形成して荒い目の孔５が多数形成されるようにしてある。この孔５の開口面積は、水の流れが妨げられない程度の大きさに形成されるものである。
【００１５】
フィルター４は弾性を有する柔軟な薄いシート状材料で図２のように袋状に形成されるものであり、フィルター保持具３の孔５よりも遥かに細かい目の細孔６が全面に形成してある。この細孔６は、水は通過させるが、髪の毛や垢の粒子は通過させない大きさに形成されるものである。フィルター４はフィルター保持具３の外径より内径がやや小さく下面が開口する有底円筒状の袋体として形成してあり、例えば織布や編布などで形成することができるものである。
【００１６】
上記のフィルター保持具３とフィルター４とで本考案に係る排水口用異物除去具Ａが形成されるものであり、フィルター保持具３の外面にフィルター４を被せて装着した状態で使用されるものである。フィルター４は弾性を有する柔軟な薄いシート状材料でフィルター保持具３の外径より小さい内径に形成してあるので、フィルター保持具３の外面に密着させた状態でフィルター４を被せることができるものであり、またフィルター保持具３の外面からフィルター４を取り外すことも容易である。
【００１７】
しかして、浴槽や洗面槽など、水が溜められた槽１から水を排出するにあたって、槽１の底部に設けられた排水口２から止水栓を抜いた後、フィルター４を装着したフィルター保持具３をその差込筒部７を排水口２の内周に差し込み、図１のようにフィルター保持具３を槽１の底部に立設した状態で取り付ける。排水口２の内径は一般に規格化して統一されているので、既存のどの浴槽や洗面槽などにおいても、本考案の排水口用異物除去具Ａを取り付けることができるものである。また、排水口２の内周に差込筒部７を密着させて差し込むことができるように、差込筒部７はゴムなどの弾性材料で形成しておくのが好ましい。このように差込筒部７を排水口２に差し込んでフィルター保持具３を槽１の底部に取り付けることによって、フィルター保持具３を強固に固定することができ、排水の際の水流でフィルター保持具３が倒れたりすることがなくなるものである。
【００１８】
そして、槽１内の水はフィルター４の細孔５を通過した後、フィルター保持具３の孔５を通って排水口２に流れ込み、排水口２から槽１の外部に排水されるものである。このようにフィルター４を通過する際に、水中の髪の毛や垢などの固形異物はフィルター４で濾過され、これらの異物が除去された水が排水口２から排水されるものである。従って、排水配管がこれらの異物で閉塞されることを防ぐことができ、排水配管を頻繁に清掃する必要をなくすことができるものである。また、フィルター保持具３に装着されたフィルター４の面積は排水口２の開口面積よりも遥かに大きいので、排水口２を通して流出する水の流量を低下させることはなく、槽１内の水を排水する効率が悪くなるというようなことはない。
【００１９】
また、フィルター４が汚れて目詰まりした場合には、排水を完了した後、差込筒部７を排水口２から抜いて、フィルター４を装着したフィルター保持具３を槽１内から取り外し、フィルター４をフィルター保持具３から取り外して新しいフィルター４に取り替えればよい。このようにフィルター４を使い捨てにすることによって、掃除などを特に行なう必要がなくなり、取り扱いが容易になるものである。
【００２０】
図３及び図４は他の実施の形態を示すものであり、フィルター保持具３とフィルター４の他に、封水カバー１８を備えて本考案に係る排水口用異物除去具Ａを形成するようにしたものである。図４に示すように、封水カバー１８はゴムなどの弾性を有する材料で下面が開口する有底円筒状に形成されるものであり、その内径は、フィルター保持具３にフィルター４を装着した状態での外径とほぼ等しい寸法に形成してある。
【００２１】
このものでは、フィルター保持具３にフィルター４を被せて装着し、さらにフィルター４の外面に封水カバー１８を被せて装着した状態で使用されるものであり、槽１内に水を張る前に、差込筒部７を排水口２に差し込んで槽１の底部に取り付けるものである。そしてこの状態で槽１内に水を張ると、フィルター保持具３及びフィルター４の外面は封水カバー１８で覆われているので、水はフィルター４及びフィルター保持具３を通過することがなく、排水口２から水が流出することはない。従って、排水口２を止水栓で閉じる必要なく、槽１内に水を張ることができるものである。次に、槽１内の水を排水する際には、封水カバー１８を上方へ抜いてフィルター４の外側から外すことによって、フィルター４を露出させるようにするものであり、槽１内の水は上記と同様に、フィルター４を通過して髪の毛や垢などの異物が除去された状態で、排水口２から排水されるものである。
【００２２】
このように封水カバー１８を備えることによって、槽１に水を溜める前に排水口用異物除去具Ａを槽１に取り付けることができるものであり、図１及び図２の実施の形態のように、排水を行なう際に排水口２から止水栓を抜いてから排水口用異物除去具Ａを取り付けるというような手間が不要になるものである。また、図３及び図４の実施の形態では、封水カバー１８の上面にチェーンなどの紐体１９の一端が結合してあり、排水の際に、槽１の水面より上で、紐体１９を引いて封水カバー１８を上方へ引き上げることによって、フィルター４の外側から外すことができるものであり、槽１内の水中に手を入れる必要なく封水カバー１８をフィルター４の外側から取り外すことができるものである。
【００２３】
尚、上記の各実施の形態では、フィルター保持具３に差込筒部７を設け、排水口２に差込筒部７を差し込むことによって、排水口用異物除去具Ａを槽１の底部に固定するようにしたが、フィルター保持具３に差込筒部７を設けないで、フィルター保持具３の下端の直径を排水口２の直径より大きい寸法に形成するようにしてもよい。この場合には、フィルター保持具３の下端で排水口２上面の外周を囲むように、排水口用異物除去具Ａを槽１の底部の上に置くことによって使用することができる。このように排水口用異物除去具Ａは特に固定しなくても、槽１内から排水口２へと流出する水圧が排水口用異物除去具Ａのフィルター４の外面に作用するので、排水口２の上から排水口用異物除去具Ａが移動することはなく、上記と同様にフィルター４を通して毛髪等の異物を除去しつつ排水口２から排水することができるものである。また、本考案は、浴槽や洗面槽の他、貯溜した水を排水口２から排水するようにした槽１の全般に適用されるものである。
【図面の簡単な説明】
【００２４】
【図１】本考案の実施の形態の一例を示す断面図である。
【図２】同上の分解斜視図である。
【図３】本考案の実施の形態の他の一例を示す断面図である。
【図４】同上の分解斜視図である。
【図５】従来例を示すものであり、（ａ）（ｂ）はそれぞれ断面図である。
【符号の説明】
【００２５】
１  槽
２  排水口
３  フィルター保持具
４  フィルター
５  孔
６  細孔
７  差込筒部
【図１】
0003112488.tif 000003
【図２】
0003112488.tif 000004
【図３】
0003112488.tif 000005
【図４】
0003112488.tif 000006
【図５】
0003112488.tif 000007